【手続補正書】
【提出日】平成23年3月9日(2011.3.9)
【手続補正１】
【補正対象書類名】特許請求の範囲
【補正対象項目名】全文
【補正方法】変更
【補正の内容】
【特許請求の範囲】
【請求項１】
階層分散ハッシュテーブル（ＤＨＴ）に従って構成されたネットワークサーバのオーバーレイネットワークを介して携帯機器電子コンテンツを共有する方法であって、
携帯機器によってメッセージを生成するステップであって、前記メッセージが、携帯機器電子コンテンツを識別し、前記ネットワークサーバのうちのいずれかにおいて前記メッセージを受信したとき、前記階層ＤＨＴに基づいて前記オーバーレイネットワークを通して前記メッセージをルーティングできるように構成された鍵を含み、前記オーバーレイネットワークが、少なくともネットワークオペレータレベル、国単位レベルおよび世界単位レベルを含む階層ＤＨＴに従って異なるレベルの階層リングによって論理的に構成されることにより、前記携帯機器によって生成されるメッセージを前記オーバーレイネットワークの１つまたは複数の異なるレベルでルーティングすることができる、生成するステップと、
前記メッセージをパケット交換無線アクセスネットワークに送信するステップであって、前記パケット交換無線アクセスネットワークが、前記メッセージを前記コンピュータノードのうちの１つまたは複数に送信するように構成される、送信するステップと
を含む、方法。
【請求項２】
前記メッセージを生成するステップは、前記携帯機器と、前記携帯機器が共有するように構成された前記携帯機器に記憶された電子コンテンツとを識別するように構成されたコンテンツ登録メッセージを生成するステップを含む、請求項１に記載の方法。
【請求項３】
前記コンテンツ登録メッセージを生成するステップは、前記電子コンテンツを新たにリストした前記携帯機器内の所定のフォルダに応答して、前記コンテンツ登録メッセージを自動的に生成するステップを含む、請求項２に記載の方法。
【請求項４】
前記携帯機器の電源オンに応答して、前記コンテンツ登録メッセージを再生成するステップをさらに含む、請求項２に記載の方法。
【請求項５】
前記メッセージを生成するステップは、前記携帯機器と、前記携帯機器がもはや共有するように構成されていない前記携帯機器に記憶された電子コンテンツとを識別するように構成されたコンテンツ登録解除メッセージを生成するステップを含む、請求項１に記載の方法。
【請求項６】
前記メッセージを生成するステップは、前記携帯機器によって要求された電子コンテンツを識別するように構成されたコンテンツ要求メッセージを生成するステップを含む、請求項１に記載の方法。
【請求項７】
前記コンテンツ要求メッセージを生成するステップは、前記コンテンツ要求メッセージ内で、それを超えての鍵探索が許可されていない前記階層ＤＨＴレベルを示すステップを含む、請求項６に記載の方法。
【請求項８】
前記コンテンツ要求メッセージ内で、それを超えての鍵探索が許可されていない前記階層ＤＨＴレベルを示すステップは、鍵探索が前記ネットワークオペレータレベルで許可されているか、前記国単位レベルで許可されているか、または前記世界単位レベルで許可されているかを示すステップを含む、請求項７に記載の方法。
【請求項９】
前記携帯機器において前記オーバーレイネットワークから受信した返信メッセージを処理するステップをさらに含み、前記返信メッセージは、前記ネットワークサーバのうちの１つまたは複数が前記鍵に合致するレコードを保持しているか否かを示すように構成される、請求項１に記載の方法。
【請求項１０】
前記返信メッセージを処理するステップは、
前記返信メッセージから携帯機器識別子を検索するステップであって、前記携帯機器識別子が、前記鍵によって示された電子コンテンツを記憶している携帯機器を識別するように構成される、検索するステップと、
前記携帯機器識別子によって識別された前記携帯機器にメッセージを前記オーバーレイネットワークから独立して送信するステップであって、前記メッセージが、前記電子コンテンツへのアクセスを要求するように構成される、送信するステップと、
前記携帯機器識別子によって識別された前記携帯機器から応答を前記オーバーレイネットワークから独立して受信するステップであって、前記応答が、前記応答を送信した前記携帯機器を識別するＩＰアドレスを含む、受信するステップと、
前記ＩＰアドレスに基づいて前記携帯機器間に確立されたネットワーク接続を介して前記電子コンテンツを前記オーバーレイネットワークから独立して受信するステップと
を含む、請求項９に記載の方法。
【請求項１１】
階層分散ハッシュテーブル（ＤＨＴ）に従って構成されたネットワークサーバのオーバーレイネットワークを介して携帯機器電子コンテンツを共有する携帯機器であって、
携帯機器電子コンテンツを識別し、前記ネットワークサーバのうちのいずれかにおいて前記メッセージを受信したとき、前記階層ＤＨＴに基づいて前記オーバーレイネットワークを通して前記メッセージをルーティングできるように構成された鍵を含み、前記オーバーレイネットワークが、少なくともネットワークオペレータレベル、国単位レベルおよび世界単位レベルを含む階層ＤＨＴに従って異なるレベルの階層リングによって論理的に構成されることにより、前記携帯機器によって生成されるメッセージを前記オーバーレイネットワークの１つまたは複数の異なるレベルでルーティングすることができる、メッセージを生成するように構成されるプロセッサと、
前記メッセージをパケット交換無線アクセスネットワークに送信するように構成される無線回路であって、前記パケット交換無線アクセスネットワークは、前記メッセージを前記コンピュータノードのうちの１つまたは複数に送信するように構成される無線回路と、
を備える、携帯機器。
【請求項１２】
前記プロセッサは、前記携帯機器と、前記携帯機器が共有するように構成された前記携帯機器に記憶された電子コンテンツとを識別するように構成されたコンテンツ登録メッセージを生成するように構成される、請求項１１に記載の携帯機器。
【請求項１３】
前記プロセッサは、前記電子コンテンツを新たにリストした前記携帯機器内の所定のフォルダに応答して、コンテンツ登録メッセージを自動的に生成するように構成される、請求項１２に記載の携帯機器。
【請求項１４】
前記プロセッサは、前記携帯機器の電源オンに応答して、前記コンテンツ登録メッセージを再生成するようにさらに構成される、請求項１２に記載の携帯機器。
【請求項１５】
前記プロセッサは、前記携帯機器と、前記携帯機器がもはや共有するように構成されていない前記携帯機器に記憶された電子コンテンツとを識別するように構成されたコンテンツ登録解除メッセージを生成するように構成される、請求項１１に記載の携帯機器。
【請求項１６】
前記プロセッサは、前記携帯機器によって要求された電子コンテンツを識別するように構成されたコンテンツ要求メッセージを生成するように構成される、請求項１１に記載の携帯機器。
【請求項１７】
前記プロセッサは、前記コンテンツ要求メッセージ内で、それを超えての鍵探索が許可されていない前記階層ＤＨＴレベルを示すように構成される、請求項１６に記載の携帯機器。
【請求項１８】
前記プロセッサは、鍵探索が前記ネットワークオペレータレベルで許可されているか、前記国単位レベルで許可されているか、または前記世界単位レベルで許可されているかを示すように構成される、請求項１７に記載の携帯機器。
【請求項１９】
前記プロセッサは、前記オーバーレイネットワークから受信した返信メッセージを処理するようにさらに構成され、前記返信メッセージは、前記ネットワークサーバのうちの１つまたは複数が前記鍵に合致するレコードを保持しているか否かを示すように構成される、請求項１１に記載の携帯機器。
【請求項２０】
前記プロセッサは、
前記返信メッセージから携帯機器識別子を検索するステップであって、前記携帯機器識別子が、前記鍵によって示された電子コンテンツを記憶している携帯機器を識別するように構成される、検索するステップと、
前記携帯機器識別子によって識別された前記携帯機器に向けられたメッセージを前記オーバーレイネットワークから独立して生成するステップであって、前記メッセージが、前記電子コンテンツへのアクセスを要求するように構成される、生成するステップと、
前記携帯機器識別子によって識別された前記携帯機器から前記オーバーレイネットワークから独立して受信された応答を処理するステップであって、前記応答が、前記応答を送信した前記携帯機器を識別するＩＰアドレスを含む、処理するステップと、
前記ＩＰアドレスに基づいて前記携帯機器間に確立されたネットワーク接続を介して前記オーバーレイネットワークから独立して受信した電子コンテンツを処理するステップと
を行うように構成される、請求項１９に記載の携帯機器。
【請求項２１】
携帯電話を含む、請求項１１に記載の携帯機器。
【請求項２２】
階層分散ハッシュテーブル（ＤＨＴ）に従って構成されたネットワークサーバのオーバーレイネットワークを介して携帯機器電子コンテンツを共有する方法であって、
携帯機器によって生成されたメッセージをパケット交換無線アクセスネットワークで処理するステップであって、前記メッセージが、携帯機器電子コンテンツを識別し、前記ネットワークサーバのうちのいずれかにおいて前記メッセージを受信したとき、前記階層ＤＨＴに基づいて前記オーバーレイネットワークを通して前記メッセージをルーティングできるようにするように構成された鍵を含み、前記オーバーレイネットワークが、少なくともネットワークオペレータレベル、国単位レベルおよび世界単位レベルを含む階層ＤＨＴに従って異なるレベルの階層リングによって論理的に構成されることにより、前記携帯機器によって生成されるメッセージを前記オーバーレイネットワークの１つまたは複数の異なるレベルでルーティングすることができる、処理するステップと、
前記パケット交換無線アクセスネットワークに関連する前記コンピュータノードのうちの１つまたは複数に前記メッセージを送信するステップと
を含む、方法。
【請求項２３】
前記メッセージを処理するステップは、前記携帯機器と、前記携帯機器が共有するように構成された前記携帯機器に記憶された電子コンテンツとを識別するように構成されたコンテンツ登録メッセージを処理するステップを含む、請求項２２に記載の方法。
【請求項２４】
前記メッセージを処理するステップは、前記携帯機器によって要求された電子コンテンツを識別するように構成されたコンテンツ要求メッセージを処理するステップを含む、請求項２２に記載の方法。
【請求項２５】
前記メッセージを処理するステップは、前記携帯機器と、前記携帯機器がもはや共有するように構成されていない前記携帯機器に記憶された電子コンテンツとを識別するように構成されたコンテンツ登録解除メッセージを処理するステップを含む、請求項２２に記載
の方法。
【請求項２６】
前記オーバーレイネットワークから受信した返信メッセージを前記パケット交換無線アクセスネットワークにおいて処理するステップをさらに含み、前記返信メッセージは、前記ネットワークサーバのうちの１つまたは複数が前記鍵に合致するレコードを保持しているか否かを示すように構成される、請求項２２に記載の方法。
【請求項２７】
前記ネットワークサーバのうちの１つまたは複数に前記メッセージを送信するステップは、前記パケット交換無線アクセスネットワーク内に含まれるパケット交換通信サポートノードに前記メッセージを転送するステップを含み、前記パケット交換通信サポートノードは、前記オーバーレイネットワークの一部を形成し、前記鍵に基づいて前記メッセージをルーティングするように構成される、請求項２２に記載の方法。
【請求項２８】
鍵探索が前記パケット交換無線アクセスネットワーク外部で許可されないことを示す前記メッセージに応答して、前記メッセージが前記パケット交換無線アクセスネットワークを出ないようにするステップをさらに含む、請求項２７に記載の方法。
【請求項２９】
階層分散ハッシュテーブル（ＤＨＴ）に従って構成されたネットワークサーバのオーバーレイネットワークを介して携帯機器電子コンテンツを共有するパケット交換無線アクセスネットワークであって、
携帯機器によって生成されたメッセージを受信するように構成される無線アクセスノードであって、前記メッセージは、携帯機器電子コンテンツを識別し、前記ネットワークサーバのうちのいずれかにおいて前記メッセージを受信したとき、前記階層ＤＨＴに基づいて前記オーバーレイネットワークを通して前記メッセージをルーティングできるようにするように構成された鍵を含み、前記オーバーレイネットワークが、少なくともネットワークオペレータレベル、国単位レベルおよび世界単位レベルを含む階層ＤＨＴに従って異なるレベルの階層リングによって論理的に構成されることにより、前記携帯機器によって生成されるメッセージを前記オーバーレイネットワークの１つまたは複数の異なるレベルでルーティングすることができる、無線アクセスノードと、
前記メッセージを処理し、前記メッセージを前記パケット交換無線アクセスネットワークに関連する前記コンピュータノードのうちの１つまたは複数に送信するように構成されるパケット交換通信サポートノードと
を備える、パケット交換無線アクセスネットワーク。
【請求項３０】
前記パケット交換通信サポートノードは、前記携帯機器と、前記携帯機器が共有するように構成された前記携帯機器に記憶された電子コンテンツとを識別するように構成されたコンテンツ登録メッセージを処理するように構成される、請求項２９に記載のパケット交換無線アクセスネットワーク。
【請求項３１】
前記パケット交換通信サポートノードは、前記携帯機器によって要求された電子コンテンツを識別するように構成されたコンテンツ要求メッセージを処理するように構成される、請求項２９に記載のパケット交換無線アクセスネットワーク。
【請求項３２】
前記パケット交換通信サポートノードは、前記携帯機器と、前記携帯機器がもはや共有するように構成されていない前記携帯機器に記憶された電子コンテンツとを識別するように構成されたコンテンツ登録解除メッセージを処理するように構成される、請求項２９に記載のパケット交換無線アクセスネットワーク。
【請求項３３】
前記パケット交換通信サポートノードは、前記オーバーレイネットワークから受信した返信メッセージを処理するようにさらに構成され、前記返信メッセージは、前記ネットワークサーバのうちの１つまたは複数が前記鍵に合致するレコードを保持しているか否かを示すように構成される、請求項２９に記載のパケット交換無線アクセスネットワーク。
【請求項３４】
前記パケット交換通信サポートノードは、前記オーバーレイネットワークの一部を形成し、前記鍵に基づいて前記メッセージをルーティングするようにさらに構成される、請求項２９に記載のパケット交換無線アクセスネットワーク。
【請求項３５】
前記パケット交換通信サポートノードは、鍵探索が前記パケット交換無線アクセスネットワーク外部で許可されないことを示す前記メッセージに応答して、前記メッセージが前記パケット交換無線アクセスネットワークを出ないようにするように構成される、請求項３４に記載のパケット交換無線アクセスネットワーク。